(57)【要約】【課題】刷毛塗りとスプレー塗りの双方を一つの物品にて容易に選択して行うことのできる装置を提供する。【解決手段】中空の貯留容器と該容器上方に位置し、レバーとノズルを備えた操作機構部を有する噴霧装置において、操作機構部側面に所定距離を有してマグネットを固着し、一方、導入管を植毛部に導通するとともに板体を設けた刷毛を設け、該板体端近傍に可動側のマグネットを内装するとともに蝶番を設け、前記の一方の固着マグネットに近接して蝶番の一方を取り付けることにより、刷毛の後方位置と前方位置を任意に選択して位置させることができるよう構成したことを特徴とする。【選択図】図２
2009090267.tif 000002
【特許請求の範囲】
【請求項１】
中空の貯留容器と該容器上方に位置し、レバーとノズルを備えた操作機構部を有する噴霧装置において、操作機構部側面に所定距離を有してマグネットを固着し、一方、導入管を植毛部に導通するとともに板体を設けた刷毛を設け、該板体端近傍に可動側のマグネットを内装するとともに蝶番を設け、前記の一方の固着マグネットに近接して蝶番の一方を取り付けることにより、刷毛の後方位置と前方位置を任意に選択して位置させることができるよう構成したことを特徴とする刷毛付きスプレー容器。
【請求項２】
マグネットに代えて面ファスナーを使用してなる請求項１記載の刷毛付きスプレー容器。
【発明の詳細な説明】
【技術分野】
【０００１】  この発明は、液状物のスプレー塗布と刷毛による塗布を一つの用具で行うことのできる刷毛付きのスプレー容器に関する。
【背景技術】
【０００２】  従来より、液状物を物品に塗布するとき、刷毛による手段やスプレーによる手段が多用され、各々用具を使い分けて行っており、本発明にて示すように、この双方の手段を一つの用具で行うことのできるものは見あたらない。
【発明の開示】
【発明が解決しようとする課題】
【０００３】  液状物の塗布は、塗装や植物の防除剤など他方面に用いられている。この塗布手段としては刷毛やスプレーを用いる方法が一般的であり、各々特徴がある。
刷毛塗りは塗布液に刷毛を適量浸して、この刷毛を塗布面に接触移動させて塗布液を塗布面に移行させることによりなされ、この液の飛散がなく経済的であるがその作業効率の面において好ましいとは言い難い。一方、スプレー方式ではその作業性は良好であるが、液の飛散の問題がある。一般的にはその用途や屋内屋外の区別においていずれかの塗布手段を選択して用いているため、場合によってはその双方の手段を用意することが必要となり、より便利なる用具が求められている。
本発明は以上のような従来からの塗布手段に関わる課題を解決するために発明されたもので、一つの用具にて刷毛塗りとスプレー塗りの双方の手段を選択して利用することのできる、新規かつ有用なる用具を提供することを目的として開発されたものである。
【課題を解決するための手段】
【０００４】  課題を解決する手段として本発明は以下の構成とした。
すなわち、中空の貯留容器と該容器上方に位置し、レバーとノズルを備えた操作機構部を有する噴霧装置において、操作機構部側面に所定距離を有してマグネットを固着し、一方、導入管を植毛部に導通するとともに板体を設けた刷毛を設け、該板体端近傍に可動側のマグネットを内装するとともに蝶番を設け、前記の一方の固着マグネットに近接して蝶番の一方を取り付けることにより、刷毛の後方位置と前方位置を任意に選択して位置させることができるよう構成する。本発明は以上の構成よりなる刷毛付きスプレー容器である。
また、マグネットに代えて面ファスナーを使用してなる刷毛付きスプレー容器としてもよい。
【発明の効果】
【０００５】  本発明によれば、刷毛を後方に位置させて通常のスプレー機器として使用し、刷毛を前方に位置させることにより、ノズルから噴出する液を刷毛の植毛部に導いて液を含ませることにて刷毛塗りを可能とし、以上の選択をワンタッチにて行うことができて、状況に応じて適宜に使い分けることのできる有用なる物品を提供することができる。
なお、本品は市販のスプレー機器を利用しての制作が可能であるため、比較的安価に製造することができる。
【発明を実施するための最良の形態】
【０００６】  以下、本発明の実施形態について説明する。
図において、１は貯留容器で、軟質合成樹脂による中空体であり、その上部は絞られて小径に形成される。２はキャップで、貯留容器上部に螺着され、管体が通じている。
３は操作機構部で、不定形合成樹脂体であり、その内部に導通部が位置し、レバー４が下方に突出し、前端には小径の孔を有するノズル体５が位置している。以上の各構成部は市販品として利用されているものである。
６は木板よりなる固定板で、前記の操作機構部の上部外面に固着され、その表面の一端に細巾木片による突板７が固着される。８は刷毛固定板で、細長木板であり、その一端には刷毛９が固着される。突板と刷毛固定板の端部をそろえて双方は蝶番１０にて回動可能に取り付けられる。また、刷毛の植毛部に導通して樹脂管による導入管１１が位置するとともに、この導通管の一部は露出して刷毛固定板に固着された有孔の板体にその一端が保持される。なお、この導入管の露出端はラッパ状の傾斜内面を有する。
１２は円板状の前方固定マグネット、１３は後方固定マグネットで、前者はノズル近傍に後者は固定板上に互いの水平位置を同一に各々固着される。１４は可動マグネットで、刷毛固定板の前方適所に穿設した孔内にその両側面を露出して固着される。
以上の構成から、刷毛の前方位置と後方位置の選択が可能となる。すなわち、図１にて示すように、刷毛の後方位置においては、後方固定マグネットと可動マグネットは磁着し、刷毛は後方に位置する。また、刷毛をつかんで前方に回動させることにて刷毛固定板は蝶番を回動中心として回動し、図３にて示すごとく可動マグネットは前方固定マグネットに磁着してその位置を保持する。回動中心から導入管端までの水平距離とノズル端までの水平距離は等しく、従って図のごとく刷毛を前方に位置させたとき、ノズル端に導入管端がぴったりと合わさって位置する。【０００７】  本発明の使用に際しては、まずキャップを外して塗布液を貯留容器内に適量入れてキャップを閉める。スプレー塗りの時は図１〜図２に示すように刷毛を後方に位置させる。
このとき、後方固定マグネットと可動マグネットは磁着位置にあって刷毛の後方位置が保持される。この状態にてレバーを反復操作することにて容器内の液は内部の管体端から吸い上げられ、操作機構部内を通過してノズル孔より噴出し、塗布することができる。
刷毛塗りの時は、図３〜図４に示すように刷毛を前方に位置させる。刷毛固定板と突板は蝶番にて接続されており、この蝶番中心を回動中心として刷毛および刷毛固定板は回動し、可動マグネットは前方固定マグネットに磁着してその位置が保持される。
このとき、導入管端はノズル体前面にぴったりと合わさっている。この状態にてレバーを操作することにより、ノズルから噴出した液は導入管を通過し、この導入管他端は開放されて刷毛の植毛部に通じているため、液は植毛内に噴出し、この植毛に液を含ませることができるため、通常の刷毛塗りを行うことができる。なお、双方の固定マグネット位置と可動マグネット位置は刷毛の前方位置と後方位置において良好に磁着できるよう位置決めがなされる。また、導入管端位置は既述の機能が満たされるようその位置が設定される。
以上、本発明について記したが、本発明は刷毛の回動にてスプレー塗りと刷毛塗りの双方を一つの用具で選択的に行うことができるところにその特徴を有し、従来ではなし得なかった便利さを有するものである。なお、本例では刷毛を操作機構部に固定する方式としたが、着脱可能方式としてもよい。導入管端はその内面をラッパ状に湾曲させたものとしたので、ノズル端より噴出した液を効率よく植毛部に移行させることができる。
刷毛の前方および後方の位置保持手段として本例では磁着方式を採用したが、他の手段、例えば磁石に代えて面ファスナーを用いる方式としてもよい。
以上のごとく、本発明によって一つの用具にて刷毛塗りとスプレー塗りを選択して利用することができる有用なる物品を提供することができる。
【図面の簡単な説明】
【０００８】
【図１】  本発明の平面図（刷毛後方位置）
【図２】  本発明の正面図（刷毛後方位置）
【図３】  本発明の平面図（刷毛前方位置）
【図４】  本発明の正面図（刷毛前方位置）
【符号の説明】
【０００９】  １    貯留容器
２    キャップ
３    操作機構部
４    レバー
５    ノズル体
６    固定板
７    突板
８    刷毛固定板
９    刷毛
１０  蝶番
１１  導入管
１２  前方固定マグネット
１３  後方固定マグネット
１４  可動マグネット
【図１】
2009090267.tif 000003
【図２】
2009090267.tif 000004
【図３】
2009090267.tif 000005
【図４】
2009090267.tif 000006